(57)【要約】【課題】簡単な構成で確実に天板の高さ調整を行うことができ、製造コストの上昇を抑えることができるワークステーションを得る。【解決手段】左側面パネル４、正面パネル３及び右側面パネル５の連結により構成される平面視略コ字状の間仕切と、天板６とを備え、左側面パネル４び右側面パネル５に天板６を支持するための水平溝８を上下方向に複数形成し、水平溝８により天板６の側部を直接又は支持金具を介して支持した。天板６が係合する水平溝８の高さを選択することにより、簡単かつ確実に天板６の高さ調整を行うことができる。【選択図】        図１
2004154379.tif 000002
【特許請求の範囲】
【請求項１】
左側面パネル、正面パネル及び右側面パネルの連結により構成される平面視略コ字状の間仕切と、天板とを備え、
前記左側面パネル及び右側面パネルに前記天板を支持するための水平溝を上下方向に複数形成し、該水平溝により前記天板の側部を直接又は支持金具を介して支持してなるワークステーション。
【請求項２】
前記左側面パネル及び右側面パネルが、少なくとも１枚の天板支持パネルと少なくとも１枚のブロックパネルとを上下に並設したものにより構成され、前記天板支持パネルに前記天板を支持するための水平溝を上下方向に複数形成し、前記天板支持パネルの高さ位置を変更可能としてなる請求項１記載のワークステーション。
【請求項３】
前記正面パネルに、前記天板を支持するための水平溝を上下方向に複数形成してなる請求項１又は２記載のワークステーション。
【発明の詳細な説明】
【０００１】
【発明の属する技術分野】
本発明は、パネルの連結により構成される間仕切と天板を備えたワークステーションに関わり、更に詳しくは簡単な構成で確実に天板の高さ調整を行うことができるワークステーションに関するものである。
【０００２】
【従来の技術】
会社の事務室若しくは作業場等のワークスペースを区画するワークステーションとしては、パネル連結による間仕切衝立により区画室を構成し、各区画室に天板を配設するもの（例えば、特許文献１乃至３参照。）がある。
【０００３】
また、近年、人間工学的観点から、ワークステーションの使用者の体格に合わせて天板高さを調整することにより、学習及び作業の能率が向上することがわかっており、このような観点から、ワークスペースを区画するワークステーションではないが、使用者の体格等に合わせて天板の高さを調整できるように構成したものとして、作業面を鉛直方向に動かすための駆動機構を備えたもの（例えば、特許文献４参照。）、机本体に水平な係合溝を複数設けて天板の後部を係合支持しネジ止めするもの（例えば、特許文献５参照。）、及び、側板の上下に併設した傾斜孔と天板の傾斜溝に支持片を挿嵌して天板を支持するもの（例えば、特許文献６参照。）等がある。
【０００４】
【特許文献１】登録実用新案第３００１０２８号公報（図１）
【特許文献２】登録実用新案第３００９７７５号公報（図１）
【特許文献３】実開昭６２−２１２１６号公報（第１図）
【特許文献４】特開平６−１４８１４号公報（図２、図１３−１７、図２０−２３）
【特許文献５】特開平１１−４６８７４号公報（第３−４頁、図１−２）
【特許文献６】実公昭４９−５８０号公報（第１頁、第１−３図）
【０００５】
【発明が解決しようとする課題】
従来のパネルの連結により構成される間仕切と天板を備えたワークステーションにおいては、天板の高さ調整が困難であるという問題点があった。
【０００６】
また、従来のギア／リンクシステム等からなる駆動機構を備えることにより天板の高さ調整を行うワークステーションにおいては、調整機構が複雑であり部品点数が多いことから、重量の増加及び製造コストの上昇という問題点があった。さらに、調整機構のメンテナンスが必要となること等から長期に亘る使用における信頼性等の問題点があった。
【０００７】
また、天板の奥側を支持する構成の天板の高さ調整を行う机においては、支持部に大きな力及びモーメントが掛かるため、支持部の肉厚を厚くして強度及び剛性を上げる必要があると共に支持片を嵌合するための多数の深溝加工が必要であること、さらには、天板を受けるための支持脚を追加する必要があること等から、重量の増加及び製造コストの上昇等の問題点があった。
【０００８】
本発明は、前記のような問題点を解決するためになされたものであり、簡単な構成で確実に天板の高さ調整を行うことができ、製造コストの上昇を抑えることができる、ワークスペースを区画するワークステーションを得ることを目的とする。
【０００９】
【課題を解決するための手段】
本発明に係るワークステーションは、左側面パネル、正面パネル及び右側面パネルの連結により構成される平面視略コ字状の間仕切と、天板とを備え、前記左側面パネル及び右側面パネルに前記天板を支持するための水平溝を上下方向に複数形成し、該水平溝により前記天板の側部を直接又は支持金具を介して支持してなるものである。
【００１０】
また、本発明に係るワークステーションは、前記左側面パネル及び右側面パネルが、少なくとも１枚の天板支持パネルと少なくとも１枚のブロックパネルとを上下に並設したものにより構成され、前記天板支持パネルに前記天板を支持するための水平溝を上下方向に複数形成し、前記天板支持パネルの高さ位置を変更可能としてなるものである。
【００１１】
また、本発明に係るワークステーションは、前記正面パネルに、前記天板を支持するための水平溝を上下方向に複数形成してなるものである。
【００１２】
【発明の実施の形態】
実施の形態１．
図１は、本発明の実施の形態１に係るワークステーションの構成を示す斜視図であり、図において、１は支柱、２はパネル縦枠、３は正面パネル、３ａは正面上ブロックパネル、３ｂは正面天板支持パネル、４は左側面パネル、４ａは左側面上ブロックパネル、４ｂは左側面天板支持パネル、４ｃは左側面下ブロックパネル、５は右側面パネル、５ａは右側面上ブロックパネル、５ｂは右側面天板支持パネル、５ｃは右側面下ブロックパネル、６は天板、７は中間支持部材、８は天板６を支持するための水平溝、９は横桟である。また、図示されていないが、正面天板支持パネル３ｂの下の中間支持部材７の左右に２枚の正面下ブロックパネル３ｃがあり、正面上ブロックパネル３ａ及び正面下ブロックパネル３ｃと中間支持部材７とは固定されている。また、中間支持部材７は一対のパネル縦枠２、２を背面合わせで固定したものである。
【００１３】
左側面パネル４は、左側面上ブロックパネル４ａ、左側面天板支持パネル４ｂ、左側面下ブロックパネル４ｃ及びパネル縦枠２、２により構成されており、右側面パネル５は、右側面上ブロックパネル５ａ、右側面天板支持パネル５ｂ、右側面下ブロックパネル５ｃ及びパネル縦枠２、２により構成されている。また、正面パネル３は、４枚の正面上パネル３ａ、２枚の正面天板支持パネル３ｂ及び２枚の正面下ブロックパネル３ｃ、並びに、パネル縦枠２、２及び中間支持部材７により構成されている。
【００１４】
左側面パネル４、正面パネル３及び右側面パネル５は、図１のような形態、すなわち正面パネル３の両側にそれぞれ支柱１を介して左側面パネル４と右側面パネル５が連結され、平面視略コ字状の間仕切を構成している。
【００１５】
左側面天板支持パネル４ｂ及び右側面天板支持パネル５ｂには、天板６の左右端部を支持するために用いる水平溝８が上下方向に複数形成されている。水平溝８は、例えば、上下方向に２０ｍｍピッチで１０列程度形成されている。また、正面天板支持パネル３ｂにも同様の水平溝８が形成されており、正面天板支持パネル３ｂの水平溝８も天板６の支持に利用することができる。正面天板支持パネル３ｂの水平溝８も天板６の支持に利用する場合は、支柱１及びパネル縦枠２と天板６の干渉部分である天板６の正面パネル３側のコーナ部分を切り欠く必要がある。
【００１６】
正面天板支持パネル３ｂの水平溝８を天板６の支持に使用する場合は、特に天板６の正面パネル３近傍において天板６の撓みを抑制できるため、より重量の重い物を天板６上に載置することができる。
【００１７】
正面天板支持パネル３ｂの水平溝８を天板６の支持に使用しない場合は、天板６の正面パネル３側端部と正面パネル３との間に空間を設けることにより、この空間を用いて、天板６上の例えばパソコン及びディスプレイの電源ケーブル、ネットワークケーブル等を通すことができる。
【００１８】
また、正面天板支持パネル３ｂの水平溝８を天板６の支持に使用する場合においても、天板６の正面パネル３側端部に切欠きを設け、正面パネル３との間に部分的な空間を形成することにより、この空間を用いて、前記ケーブル等を通すことができる。
【００１９】
さらに、水平溝８は、天板６を支持するだけでなく、トレー、時計等の支持用に使用することもできる。
【００２０】
図２は、天板支持パネルとブロックパネルとの境界部分の構造例を示す断面図であり、左側面天板支持パネル４ｂと左側面下ブロックパネル４ｃとの接合部の構造を示している。図２において、８は天板６を支持するための水平溝、９は横桟、１０は化粧パネル、１１、１２はフレーム、１３はネジである。横桟９は、図１のパネル縦枠２に固定されている。
【００２１】
左側面天板支持パネル４ｂ及び左側面下ブロックパネル４ｃは、横桟９に接合している。また、左側面天板支持パネル４ｂと左側面上ブロックパネル４ａとの境界部分、右側面天板支持パネル５ｂと右側面下ブロックパネル５ｃとの境界部分等パネル間の境界部分は同様の構成となっている。
【００２２】
以上のとおり、左側面天板支持パネル４ｂ及び左側面下ブロックパネル４ｃ、左側面天板支持パネル４ｂ及び左側面上ブロックパネル４ａ、右側面天板支持パネル５ｂ及び右側面下ブロックパネル５ｃ、並びに右側面天板支持パネル５ｂ及び右側面上ブロックパネル５ａとの間は固定されておらず、簡単に分離可能に構成されている。また、横桟９のパネル縦枠２への上下方向の取付け位置は任意に選択することができるため、横桟９の上下位置を適宜選択することにより、天板支持パネルの上下位置は、所望する高さに応じて簡単に変更することができる。また、天板支持パネルの水平溝８のピッチ及び数の変更を行う必要が生じた場合においても、天板支持パネルごと簡単に置換することができる構成となっている。
【００２３】
図２の構成は横桟９を用いる例であるが、横桟９を用いずに各パネル同士を直接接合する形状に構成してもよい。
【００２４】
また、図１及び図２の構成においては、水平溝８が天板支持パネルの両面（例えば、図２のＡ及びＢ）に形成されているが、天板６を支持する側にのみ形成してもよい。
【００２５】
図３は、ブロックパネルの構成例を示す斜視図であり、図において、１０は化粧板、１２、１４はフレーム、１５はネジである。化粧板１０の四方をフレーム１２、１４により囲んでネジ１５によりフレームを固定することにより、必要な強度及び剛性を確保している。
【００２６】
図４は、天板を支持するための水平溝８による天板の支持方法を示す断面図であり、図において、４ｂは左側面天板支持パネル、６ａ、６ｂ及び６ｃは天板、１６は支持金具、１７はネジ、１８は天板６ｂの延長部、１９は天板６ｃの延長部である。
【００２７】
図４（ａ）のように、水平溝８に係合する支持金具１６により天板６ａを支持し、ネジ１７により天板６ａと支持金具１６を固定してもよい。あるいは、支持金具１６上に天板６ａを載置するのみで天板６ａと支持金具１６とを固定しない構成としてもよい。
【００２８】
また、図４（ｂ）又は図４（ｃ）のように、天板６ｂの延長部１８を水平溝８に係合させることにより天板６ｂを直接支持する構成、又は、天板６ｃの延長部１９を水平溝８に係合させることにより天板６ｃを直接支持する構成を採用してもよい。ここで、水平溝８の前端がパネル縦枠２によって隠れている場合は、図５に示すように、パネル縦枠２上部に部分カバー２０を設け、該部分カバー２０を外して、水平溝８の前端を開放し、前方から天板６ｂの延長部１８又は天板６ｃの延長部１９を所望高さの水平溝８に係合させる。なお、天板６ｂ又は６ｃの固定が必要な場合は、正面天板支持パネル３ｂの水平溝８に図４（ａ）の支持金具１６を係合させて天板６ａ又は６ｂの正面パネル３側を支持し、ネジにて天板６ａ又は６ｂと支持金具１６を固定すればよい。
【００２９】
図４（ａ）の構成により天板６ａの支持を行っている場合において、天板６ａの高さを変えるには、ネジ１７を外して天板６ａと支持金具１６を分離し、天板６ａを例えば上方に取り外した後、天板６ａの所望高さに応じて支持金具１６を高さの異なる水平溝８に付け替え、天板６ａを例えば上方から支持金具１６上に載置すればよい。
【００３０】
また、図４（ｂ）又は図４（ｃ）の構成により天板６ｂ又は６ｃの支持を行っている場合において、天板６ｂ又は６ｃの高さを変えるには、天板６ｂ又は６ｃを前方へスライドさせて水平溝８から取り外した後、天板６ｂ又は６ｃの所望高さに応じて天板６ｂ又は６ｃの延長部１８又は１９を図５のように前方から水平溝８に係合させればよい。また、前述の理由で部分カバー２０を設けた場合には、該部分カバー２０を外して天板６ｂ又は６ｃの高さを変える。
【００３１】
図６は、天板支持パネルの構造例を示す説明図であり、図５と同一符号は同一又は相当部分を示している。図６の例では、左側面天板支持パネル４ｂの天板６ｂ又は６ｃを支持するための水平溝８をパネル縦枠２から張り出すように構成しており（右側面天板支持パネル５ｂの水平溝８も同様）、このような構成にすることにより、図５の部分カバー２０を外さずに天板６ｂ又は６ｃを水平溝８から出し入れすることができる。したがって、図５のような部分カバー２０を不要にすることができると共にパネル縦枠２の形状を簡素化することができる。
【００３２】
また、図６の左側面天板支持パネル４ｂは、例えばアルミニウムの押出しにより一体成形されているものであるが、図６の左側面天板支持パネル４ｂの縦割りの左右分割形状をアルミニウムの押出しにより一体成形して（図６の左側面天板支持パネル４ｂの略半分の形状に相当）、この一体成形された分割形状を背面合わせにより接合して図６の左側面天板支持パネル４ｂと同様の形状を構成し、横桟９に係合させてもよい。
【００３３】
図４（ｂ）又は（ｃ）のように水平溝８に係合する延長部１８又は１９を設ける構成は、図４（ａ）の構成と比較して、支持金具１６及びネジ１７が不要になり、さらに構成を簡素化することができる。また、ネジの緩み等の問題がなくなるため、より確実に天板を支持することができる。
【００３４】
以上のように、本発明に係るワークステーションは、簡単な構成で確実に天板の高さ調整を行うことができるため、製造コストの上昇を抑えることができると共に長期に亘る使用においても高い信頼性を確保することができる。
【００３５】
本発明に係るワークステーションの構成は、以上の説明におけるパネルの構成、即ち、ブロックパネル及び天板支持パネルの数、形状等に限定されるものではなく、パネルの構成は適宜変更することができる。
【００３６】
また、以上の説明においては、天板の形状を略矩形状として説明したが、Ｌ字形状等他の形状であってもよい。
【００３７】
実施の形態２．
図７は、本発明の実施の形態２に係るワークステーションの構成を示す斜視図であり、図中、実施の形態１の図１と同一符号は同一又は相当部分を示している。図７の構成においては、図１の構成に比べ、正面パネル３、左側面パネル４及び右側面パネル５の形状が異なる構成となっている。即ち、左側面上ブロックパネル４ａ及び右側面上ブロックパネル５ａ並びに左側面下ブロックパネル４ｃ及び右側面下ブロックパネル５ｃを矩形とし、左側面上ブロックパネル４ａ及び右側面上ブロックパネル５ａを上方に、左側面下ブロックパネル４ｃ及び右側面下ブロックパネル５ｃを下方に延長している。また、図示されていない正面下ブロックパネル３ｃ（図５参照）も下方に延長している。
【００３８】
以上のような構成により、左側面上ブロックパネル４ａ及び右側面上ブロックパネル５ａ、左側面下ブロックパネル４ｃ及び右側面下ブロックパネル５ｃ、並びに正面下ブロックパネル３ｃの強度及び剛性が向上するため、天板６上にはより重い物を載置することができる。また、当該ワークステーションの外部との遮蔽性を向上することができる。
【００３９】
実施の形態３．
図８は、本発明の実施の形態３に係るワークステーションの構成を示す斜視図であり、図中、実施の形態２の図７と同一符号は同一又は相当部分を示している。図８において、２１は中間面パネル、２１ａは中間面上ブロックパネル、２１ｂは中間面天板支持パネル、２１ｃは中間面下ブロックパネル、６Ａ及び６Ｂは天板である。また、２２は第１の正面パネル、２３は第２の正面パネルであり、図７の正面パネル３と同様の構成からなるものである。
【００４０】
左側面パネル４、第１の正面パネル２２、中間面パネル２１、第２の正面パネル２３及び右側面パネル５は、図８のような形態、すなわち平面視略Ｅ字状の間仕切を構成している。
【００４１】
中間面天板支持パネル２１ｂには、図２のように両面に天板を支持するための水平溝８が形成されているため、その両面で天板６Ａ及び６Ｂを支持することができる。したがって、実施の形態１又は２のワークステーションを並設する場合に比べ、設置スペースを小さくすることができる。
【００４２】
また、図８のような構成にしても、天板６Ａ及び６Ｂは独立して高さを調整することができる。例えば、図８の例では、右側の天板６Ｂの方が左側の天板６Ａよりも高い場合を示している。
【００４３】
さらに、例えば体格に応じて天板の高さを変える場合において、天板の奥行きを変えること、例えば、体格が大きい人が使用する場合に奥行き寸法の大きい天板を使用するように構成することができる。例えば、図８の例では、右側の天板６Ｂの方が左側の天板６Ａよりも奥行き寸法が大きい場合を示している。
【００４４】
【発明の効果】
本発明に係るワークステーションは、上述のように構成されているので、簡単な構成で確実に天板の高さ調整を行うことができ、製造コストの上昇を抑えることができる。
【００４５】
また、本発明に係るワークステーションは、拡張性が高く、ワークステーションを並設した場合において、より設置スペースを小さくすることができる。
【図面の簡単な説明】
【図１】本発明の実施の形態１に係るワークステーションの構成を示す斜視図である。
【図２】天板支持パネルとブロックパネルとの境界部分の構造例を示す断面図である。
【図３】ブロックパネルの構成例を示す斜視図である。
【図４】天板を支持するための水平溝による天板の支持方法を示す断面図である。
【図５】天板を支持するための水平溝に天板を取り付ける方法の例を示す斜視図である。
【図６】天板支持パネルの構造例を示す説明図である。
【図７】本発明の実施の形態２に係るワークステーションの構成を示す斜視図である。
【図８】本発明の実施の形態３に係るワークステーションの構成を示す斜視図である。
【符号の説明】
１  支柱、２  パネル縦枠、３  正面パネル、３ａ  正面上ブロックパネル、３ｂ  正面上天板支持パネル、３ｃ  正面下ブロックパネル、４  左側面パネル、４ａ  左側面上ブロックパネル、４ｂ  左側面天板支持パネル、４ｃ  左側面下ブロックパネル、５  右側面パネル、５ａ  右側面上ブロックパネル、５ｂ  右側面天板支持パネル、５ｃ  左側面下ブロックパネル、６、６ａ、６ｂ、６ｃ天板、８  天板を支持するための水平溝、９  横桟、１６  支持金具、１８、１９  天板の延長部。
【図１】
2004154379.tif 000003
【図２】
2004154379.tif 000004
【図３】
2004154379.tif 000005
【図４】
2004154379.tif 000006
【図５】
2004154379.tif 000007
【図６】
2004154379.tif 000008
【図７】
2004154379.tif 000009
【図８】
2004154379.tif 000010